(57)【要約】【課題】電話帳への煩雑な登録作業を行うことなく、携帯用ナースコール親機においても呼出種別に応じて呼出音を区別して出力することができるようにする。【解決手段】ＩＰ携帯電話１０において、電話帳記憶部に登録した複数の所定の電話番号に対して異なる呼出音を設定しておく。ナースコール子機から呼び出しが行われたときは、制御機５から出力される呼出信号に含まれる呼出種別に応じた所定の電話番号をＩＰアダプタ７にて特定し、特定した所定の電話番号を発信元として含む呼出信号をＳＩＰサーバ８からＩＰ携帯電話１０に送信することにより、ＩＰ携帯電話１０において、呼出信号に含まれる所定の電話番号が発信元として認識され、電話帳記憶部を通じて当該発信元の電話番号に対して設定された呼出音が出力されるようにすることで、呼出種別の数と同じだけ所定の電話番号をＩＰ携帯電話１０の電話帳に登録するだけで済むようにする。【選択図】図１
2012199741.tif 000002
【特許請求の範囲】
【請求項１】
ナースコール子機で呼び出しが行われたことを携帯用ナースコール親機に対して呼出音の出力により報知するように成されたナースコールシステムであって、
上記ナースコール子機の識別情報および呼出種別の情報を含む呼出信号を入力し、上記呼出種別に応じた所定の電話番号を特定して、当該特定した所定の電話番号を発信元として含む呼出信号を出力する呼出信号変換部と、
上記呼出信号変換部より出力された変換後の呼出信号を上記携帯用ナースコール親機に送信する呼出信号送信部とを備え、
上記携帯用ナースコール親機は、複数の所定の電話番号を電話帳として記憶する電話帳記憶部を備え、上記複数の所定の電話番号に対して異なる呼出音が設定されていることを特徴とするナースコールシステム。
【請求項２】
上記携帯用ナースコール親機は、上記呼出信号送信部から送信された呼出信号に含まれる上記所定の電話番号と同じ電話番号を上記電話帳記憶部から検索し、検索した電話番号に対して設定されている呼出音を出力する呼出音出力部を備えたことを特徴とする請求項１に記載のナースコールシステム。
【請求項３】
上記携帯用ナースコール親機は、上記呼出信号送信部から送信された呼出信号に含まれる上記所定の電話番号と同じ電話番号を上記電話帳記憶部から検索し、検索した電話番号に対して設定されている呼出音を出力する呼出音出力部と、
上記呼出信号送信部から送信された呼出信号に含まれる上記識別情報に基づいて、呼出元である上記ナースコール子機に対応付けられた患者情報をモニタ画面に出力する患者情報出力部とを備えたことを特徴とする請求項１に記載のナースコールシステム。
【請求項４】
上記呼出信号送信部は、上記呼出信号変換部が入力した呼出信号に含まれる上記識別情報に対応付けられた患者情報を上記携帯用ナースコール親機に送信し、
上記携帯用ナースコール親機は、上記呼出信号送信部から送信された呼出信号に含まれる上記所定の電話番号と同じ電話番号を上記電話帳記憶部から検索し、検索した電話番号に対して設定されている呼出音を出力する呼出音出力部と、
上記呼出信号送信部から送信された上記患者情報をモニタ画面に出力する患者情報出力部とを備えたことを特徴とする請求項１に記載のナースコールシステム。
【請求項５】
ナースコール子機で呼び出しが行われたことを携帯用ナースコール親機に対して呼出音の出力により報知するように成され、上記携帯用ナースコール親機では電話帳記憶部に記憶されている複数の所定の電話番号に対して異なる呼出音が設定されているナースコールシステムに用いる呼出音制御装置であって、
上記ナースコール子機の呼出種別の情報を含む呼出信号を入力する呼出信号入力部と、
上記呼出信号入力部により入力された呼出信号に含まれる上記呼出種別に応じた所定の電話番号を特定する電話番号特定部と、
上記電話番号特定部により特定された所定の電話番号を発信元として含む呼出信号を出力する呼出信号出力部とを備えたことを特徴とする呼出音制御装置。
【発明の詳細な説明】
【技術分野】
【０００１】
本発明は、ナースコールシステムおよび呼出音制御装置に関し、特に、患者が呼出ボタンの押下によって看護師を呼び出し、呼び出された看護師が応答のための操作を行うことによって、患者と看護師とが離れた場所から通話を行うことができるように成されたナースコールシステムに用いて好適なものである。
【背景技術】
【０００２】
一般に、病院や介護施設などで使われるナースコールシステムは、患者や被介護者（以下、単に患者という）が医師や看護師、介護師（以下、単に看護師という）のサポートを必要とする際に、患者がナースコール子機の呼出ボタン等を押下することによって看護師を呼び出すことができるように成されたシステムである。
【０００３】
多くのナースコールシステムでは、ナースセンタに設置されたナースコール親機への呼び出しを行うが、ＰＢＸ（Private Branch Exchange）を介して看護師が携帯するＰＨＳ（Personal Handyphone System）端末への呼び出しを行うナースコールシステムも提供されている。近年では、ＳＩＰ（Session Initiation Protocol）サーバを備え、ＩＰ（Internet Protocol）電話への呼び出しを行うナースコールシステムも提案されている（例えば、特許文献１，２参照）。
【０００４】
特許文献１に記載のナースコールシステムでは、ナースコール親機および携帯用ナースコール親機（ＩＰ電話）に、双方の間でＩＰ通信を可能とするＩＰ送受信回路を設けている。また、ナースコール親機に、ナースコール子機からの呼び出しをＩＰ電話に通知する機能と、ナースコール子機とＩＰ電話との間でＩＰ通信を可能とする機能とを設けている。また、ナースコール親機とＩＰ電話との通信を制御するＩＰ交換機をナースコール親機にＬＡＮ接続している。
【０００５】
また、特許文献２に記載のナースコールシステムは、室内の患者から呼び出しおよび通話を行うナースコール子機と、ナースコール子機からの呼び出し（呼出元、呼出先、呼出時間等の呼出履歴）を表示し応答通話を行うナースコール親機および携帯用ナースコール親機（ＩＰ電話）とで構成する。そして、ナースコール親機およびＩＰ電話を、内線同士を接続するＳＩＰサーバにより相互に接続している。
【０００６】
これらの特許文献１，２を含む従来のナースコールシステムでは、患者がナースコール子機の呼出ボタンを押下して呼び出しを行うと、呼び出しが行われたことがナースコール親機や携帯用ナースコール親機（ＰＨＳ端末またはＩＰ電話）にて報知される。これに応じて看護師は、ナースコール親機のハンドセットや、自身が携帯するＰＨＳ端末またはＩＰ電話により応答する。
【０００７】
ナースコール親機や携帯用ナースコール親機に対する呼び出しの報知は、モニタ画面への表示と呼出音と鳴動とによって行われる。例えば、ナースコール子機から呼び出しが行われると、ナースコール親機や携帯用ナースコール親機にて呼出音が鳴るとともに、呼び出しを行った患者の氏名、部屋番号などの患者情報がモニタ画面に表示される。患者情報に加えて、一般呼出／緊急呼出／ＭＥ呼出などの呼出種別を表示するように成されたシステムも存在する。なお、ＭＥ呼出は、ナースコール子機に接続された医療機器（Medical Equipment）において患者の異常を検出したときに行われる呼び出しである。
【０００８】
ナースコール子機からの呼び出しがあったときに、ナースコール親機や携帯用ナースコール親機のモニタ画面に呼出種別を表示するナースコールシステムによれば、看護師が呼び出しの緊急度を把握して、緊急度の高い呼び出しに対して迅速に応答するなどの適切な対応をとることができる。
【０００９】
ところが、看護師が患者に対する看護中であったり処置の準備中であったりして、モニタ画面の表示をすぐに見ることができない場合がある。また、看護師が携帯用ナースコール親機をポケットに入れて所持している場合などにも、モニタ画面の表示をすぐに見ることができない。この場合、看護師は呼び出しの緊急度を即座に把握することができないという問題があった。
【００１０】
なお、ナースコール子機から出力される呼出信号の種別に応じて、ナースコール親機または携帯用ナースコール親機から呼出音を区別して出力できるようにしたナースコールシステムが提案されている（例えば、特許文献３，４参照）。特許文献３に記載のナースコールシステムでは、ナースコール子機から出力される通常呼出信号または試験呼出信号に応じて、ナースコール親機から通常呼出音または試験呼出音を区別して出力できるようにしている。
【００１１】
また、特許文献４に記載の呼出システムでは、ナースコール受信機（携帯用ナースコール親機）の電話帳において、呼出種別と子機番号とを組み合わせた電話番号を呼出種別ごとにグループ分けして登録し、各グループ（呼出種別）ごとに鳴動パターン（バイブレーションや呼出音のパターン）を設定するようにしている。この技術によれば、看護師は鳴動パターンにより呼び出しの緊急度を把握することができる。
【００１２】
しかしながら、特許文献３のナースコールシステムは、ナースコール親機において呼出種別に応じて呼出音を切り替えるものであり、携帯用ナースコール親機において呼出種別に応じて呼出音を区別して出力することはできない。
【００１３】
一方、特許文献４の呼出システムでは、携帯用ナースコール親機においても呼出種別に応じた呼出音を出力することができる。しかし、携帯用ナースコール親機において、ナースコール子機ごとに呼出種別と子機番号とを組み合わせた電話番号を電話帳に登録しなければならない。そのため、ナースコール子機の数が多いときには電話帳へ登録すべき電話番号の数が多くなり、その登録作業が煩雑になるという問題があった。
【先行技術文献】
【特許文献】
【００１４】
【特許文献１】特開２０１０−２０００２１号公報
【特許文献２】特開２０１０−２３２７５８号公報
【特許文献３】特開２００７−２７４４１５号公報
【特許文献４】特開２０１０−２６３２９４号公報
【発明の概要】
【発明が解決しようとする課題】
【００１５】
本発明は、このような問題を解決するために成されたものであり、ＰＨＳ端末やＩＰ電話などの携帯用ナースコール親機においても、電話帳への煩雑な登録作業を行うことなく、ナースコール子機からの呼出種別に応じて呼出音を区別して出力することができるようにすることを目的とする。
【課題を解決するための手段】
【００１６】
上記した課題を解決するために、本発明のナースコールシステムでは、携帯用ナースコール親機において、電話帳記憶部に記憶されている複数の所定の電話番号に対して異なる呼出音を設定しておく。そして、ナースコール子機から呼び出しが行われたときに、呼出信号に含まれる呼出種別の情報をもとに、当該呼出種別に応じた所定の電話番号を特定し、当該所定の電話番号を発信元として含む呼出信号を携帯用ナースコール親機に供給するようにする。
【発明の効果】
【００１７】
上記のように構成した本発明によれば、ナースコール子機から呼出信号が出力されたときに、その呼出信号が、呼出種別から特定された所定の電話番号を発信元として含む呼出信号に変換されて携帯用ナースコール親機に供給される。携帯用ナースコール親機では、電話帳記憶部に記憶された複数の所定の電話番号毎に異なる呼出音が設定されているため、呼出信号に発信元として含まれる所定の電話番号に対して設定された呼出音が出力されることになる。
【００１８】
したがって、携帯用ナースコール親機において呼出音を区別して出力するために行う電話帳への登録作業が、呼出種別の数と同じだけ所定の電話番号を登録するだけの作業で良くなる。これにより、電話帳への煩雑な登録作業を行うことなく、携帯用ナースコール親機においてもナースコール子機からの呼出種別に応じて呼出音を区別して出力することが可能となる。
【図面の簡単な説明】
【００１９】
【図１】本実施形態によるナースコールシステムの全体構成例を示す図である。
【図２】本実施形態によるＩＰアダプタの機能構成例を示す図である。
【図３】本実施形態によるＩＰ携帯電話の機能構成例を示す図である。
【発明を実施するための形態】
【００２０】
以下、本発明の一実施形態を図面に基づいて説明する。図１は、本実施形態によるナースコールシステムの全体構成例を示す図である。図１に示すように、本実施形態のナースコールシステムは、ハンド形子機１、医療機器２、壁埋込形子機３、廊下灯４、制御機５、ナースコール親機６、ＩＰアダプタ７、ＳＩＰサーバ８、無線送受信機９およびＩＰ携帯電話１０を備えて構成されている。なお、ハンド形子機１、医療機器２および壁埋込形子機３が特許請求の範囲のナースコール子機に相当し、ＩＰ携帯電話１０が特許請求の範囲の携帯用ナースコール親機に相当する。
【００２１】
ハンド形子機１は、各患者のベッド脇に設置され、看護師の一般呼出を指示するための一般呼出ボタン、緊急呼出を指示するための緊急呼出ボタンを備えている。患者が必要に応じて何れかの呼出ボタンを押下すると、ハンド形子機１は、押下された呼出ボタンに対応する呼出種別の情報を含む呼出信号を出力する。例えば、患者が一般呼出ボタンを押下すると、ハンド形子機１は、一般呼出であることを示す呼出種別の情報を含む呼出信号を出力する。
【００２２】
医療機器２は、人工呼吸器または心電計などの生体モニタである。医用電子機器２は、患者の状態が異常と判断された場合（例えば、人工呼吸器または心電計などで異常値が測定された場合など）に、ＭＥ呼出であることを示す呼出種別の情報を含む呼出信号を出力する。
【００２３】
壁埋込形子機３は、病室の各ベッドサイドの壁に埋め込み設置される。この壁埋込形子機３は、ハンド形子機１および医療機器２が接続される接続端子を備えている。また、壁埋込形子機３は、廊下灯４に接続されている。壁埋込形子機３は、ハンド形子機１または医療機器２から呼出信号を受けると、呼出元の識別情報（例えば、壁埋込形子機３の接続端子番号）および呼出種別の情報を含む呼出信号を廊下灯４に出力する。
【００２４】
廊下灯４は、各病室に設置される。廊下灯４は、複数の壁埋込形子機３が接続される複数の入力ポートを備え、どの入力ポートから呼出信号を受けたかに応じて、呼出信号の供給元である壁埋込形子機３を示す情報（例えば、ベッド番号）を特定する。そして、廊下灯４は、壁埋込形子機３の接続端子番号およびベッド番号に廊下灯４の識別情報（例えば、部屋番号）を加えて呼出元であるナースコール子機の識別情報を生成し、当該識別情報および呼出種別の情報を含む呼出信号を制御機５に出力する。
【００２５】
制御機５は、廊下灯４とナースコール親機６との間に接続され、廊下灯４から供給された呼出信号をナースコール親機６に出力する。また、制御機５にはＩＰアダプタ７も接続されている。制御機５は、廊下灯４から呼出信号が供給されたときに、その呼出信号に含まれているナースコール子機の識別情報および呼出種別の情報に加えて、呼出先のＩＰ携帯電話１０の識別情報を含む呼出信号を生成してＩＰアダプタ７に出力する。
【００２６】
ナースコール親機６は、ナースセンタに設置されている。このナースコール親機６は、壁埋込形子機３を識別するための子機識別情報（部屋番号およびベッド番号）と、その壁埋込形子機３があるベッドを使用している患者の情報（氏名、年齢など）とを対応付けた患者テーブルを図示しないメモリに保持している。また、ナースコール親機６は、上述した子機識別情報と、その子機識別情報に対応する患者の担当看護師が所持するＩＰ携帯電話１０の識別情報である電話番号情報とを対応付けた端末テーブルをメモリに保持している。
【００２７】
ナースコール親機６は、制御機５から呼出信号を入力すると、看護師の呼び出しを行うべく所定の呼出音をスピーカから出力する。また、呼出信号に含まれるナースコール子機の識別情報に基づき患者テーブルを参照して患者情報を特定し、当該患者情報を部屋番号やベッド番号、呼出種別と共にモニタ画面に表示する。
【００２８】
また、ナースコール親機６は、制御機５から呼出信号を入力すると、その呼出信号に含まれるナースコール子機の識別情報に基づき端末テーブルを参照し、担当の看護師が所持するＩＰ携帯電話１０の電話番号情報を特定し、当該電話番号情報を制御機５に通知する。この通知を受けた制御機５は、上述のように、呼出元であるナースコール子機の識別情報および呼出種別の情報に加えて、呼出先であるＩＰ携帯電話１０の電話番号情報を含む呼出信号を生成してＩＰアダプタ７に出力する。
【００２９】
ＩＰアダプタ７は、本発明の呼出音制御装置に相当するものであり、本発明の呼出信号変換部に相当する機能を備えている。すなわち、ＩＰアダプタ７は、制御機５から呼出信号を入力し、当該呼出信号に含まれる呼出種別に応じた所定の電話番号を特定して、当該特定した所定の電話番号を発信元として含む呼出信号を出力する。
【００３０】
具体的には、ＩＰアダプタ７は、呼出種別と所定の電話番号とを対応付けた番号テーブルを図示しないメモリに保持している。ＩＰアダプタ７はこの番号テーブルを利用して、制御機５から入力される呼出信号に含まれるナースコール子機の識別情報を、同じく呼出信号に含まれる呼出種別に応じた所定の電話番号に変換する。そして、当該変換した所定の電話番号と、呼出先のＩＰ携帯電話１０の電話番号情報とを含む呼出信号をＳＩＰサーバ８に出力する。
【００３１】
図２は、本実施形態によるＩＰアダプタ７の機能構成例を示す図である。図２に示すように、ＩＰアダプタ７は、その機能構成として、呼出信号入力部７ａと、番号テーブル記憶部７ｂと、電話番号特定部７ｃと、呼出信号出力部７ｄとを備えている。呼出信号入力部７ａは、呼出元であるナースコール子機の識別情報および呼出種別の情報と、呼出先であるＩＰ携帯電話１０の電話番号情報とを含む呼出信号を制御機５から入力する。
【００３２】
番号テーブル記憶部７ｂは、呼出種別と所定の電話番号とを対応付けた番号テーブルを記憶している。電話番号特定部７ｃは、番号テーブル記憶部７ｂに記憶されている番号テーブルを参照して、呼出信号入力部７ａにより入力された呼出信号に含まれる呼出種別に応じた所定の電話番号を特定する。呼出信号出力部７ｄは、電話番号特定部７ｃにより特定された所定の電話番号と、呼出信号入力部７ａにより入力された呼出信号に含まれる呼出先のＩＰ携帯電話１０の電話番号情報とを含む呼出信号をＳＩＰサーバ８に出力する。
【００３３】
ＳＩＰサーバ８は、本発明の呼出信号送信部に相当する機能を備えており、ＩＰアダプタ７より出力された呼出信号をＩＰ携帯電話１０に送信する。具体的には、ＳＩＰサーバ８は、ＩＰ携帯電話１０と通信するための無線送受信機９に接続されている。ＳＩＰサーバ８は、ＩＰアダプタ７から呼出信号を入力すると、無線送受信機９を介して、当該呼出信号に含まれる電話番号情報を利用して呼出先のＩＰ携帯電話１０に架電し、当該呼出信号に含まれる所定の電話番号を発信元として担当の看護師の呼び出しを行う。
【００３４】
ＩＰ携帯電話１０は、複数の所定の電話番号を電話帳として記憶する電話帳記憶部を備えている。また、ＩＰ携帯電話１０は、複数の所定の電話番号に対して異なる呼出音を設定する機能を備えている。ＩＰ携帯電話１０を所持する看護師は、ＩＰ携帯電話１０の図示しない操作部を操作して、ＩＰアダプタ７の番号テーブルに記憶されている複数の所定の電話番号を電話帳記憶部に登録するとともに、登録した各電話番号に対して異なる呼出音を設定しておく。
【００３５】
ＩＰ携帯電話１０は、ＳＩＰサーバ８から所定の電話番号を発信元とする呼出信号を受信したときに、当該呼出信号に発信元として含まれる所定の電話番号と同じ電話番号を電話帳記憶部から検索し、検索した電話番号に対して設定されている呼出音を出力する。
【００３６】
以上詳しく説明したように、本実施形態では、ＩＰ携帯電話１０において、電話帳記憶部に複数の所定の電話番号を登録し、各電話番号に対して異なる呼出音を設定しておく。ナースコール子機から呼び出しが行われたときは、ＩＰアダプタ７において、制御機５から出力される呼出信号に含まれる呼出種別の情報をもとに、当該呼出種別に応じた所定の電話番号を特定する。そして、特定した所定の電話番号を発信元として含む呼出信号をＳＩＰサーバ８からＩＰ携帯電話１０に送信する。
【００３７】
このように構成した本実施形態によれば、ナースコール子機から呼出信号が出力されたときに、その呼出信号が、呼出種別から特定された所定の電話番号を発信元として含む呼出信号に変換されてＩＰ携帯電話１０に供給される。これにより、ＩＰ携帯電話１０では、その呼出信号に含まれる所定の電話番号を発信元として認識し、電話帳記憶部を通じて当該発信元の電話番号に対して設定された呼出音が出力されることになる。したがって、ＩＰ携帯電話１０において呼出音を区別して出力するために行う電話帳記憶部への登録作業が、呼出種別の数と同じだけ所定の電話番号を登録するだけの作業で良くなる。これにより、電話帳への煩雑な登録作業を行うことなく、ＩＰ携帯電話１０においても、ナースコール子機からの呼出種別に応じて呼出音を区別して出力することができる。
【００３８】
なお、上記実施形態では、制御機５からＩＰアダプタ７に入力される呼出信号に含まれるナースコール子機の識別情報を呼出種別に応じた所定の電話番号に変換し、変換した所定の電話番号を発信元とみなしてＩＰ携帯電話１０への呼び出しを行っている。そのため、本来の呼出元を示すナースコール子機の識別情報がＩＰ携帯電話１０に送られず、本来の呼出元をＩＰ携帯電話１０にて報知することができない。
【００３９】
そこで、ＩＰアダプタ７（呼出信号変換部）は、呼出元であるナースコール子機の識別情報および呼出種別の情報を含む呼出信号を制御機５から入力したときに、呼出種別に応じた所定の電話番号を追加して、当該追加した所定の電話番号と、ナースコール子機の識別情報と、呼出先のＩＰ携帯電話１０の電話番号情報とを含む呼出信号をＳＩＰサーバ８に出力するようにしてもよい。この場合、ＳＩＰサーバ８は、呼出信号に含まれる電話番号情報を利用して呼出先のＩＰ携帯電話１０に架電し、同じく呼出信号に含まれる所定の電話番号を発信元として、ナースコール子機の識別情報を含む呼出信号をＩＰ携帯電話１０に送信する。
【００４０】
図３は、ＩＰアダプタ７が所定の電話番号を追加して呼出信号を出力するようにした場合におけるＩＰ携帯電話１０の機能構成例を示す図である。図３に示すように、ＩＰ携帯電話１０は、その機能構成として、呼出信号受信部１０ａと、電話帳記憶部１０ｂと、呼出音設定部１０ｃと、呼出音出力部１０ｄと、患者情報出力部１０ｅとを備えている。
【００４１】
呼出信号受信部１０ａは、ナースコール子機の識別情報を含み、呼出種別に応じた所定の電話番号を発信元としてＳＩＰサーバ８から送信された呼出信号を無線送受信機９を介して受信する。電話帳記憶部１０ｂは、複数の所定の電話番号を電話帳として記憶している。呼出音設定部１０ｃは、看護師が図示しない操作部を操作して、電話帳記憶部１０ｂに記憶されている複数の所定の電話番号に対して設定された呼出音の情報を記憶している。
【００４２】
呼出音出力部１０ｄは、呼出信号受信部１０ａにより受信された呼出信号に含まれる所定の電話番号と同じ電話番号を電話帳記憶部１０ｂから検索するとともに、検索した電話番号に対して呼出音設定部１０ｃにて設定されている呼出音の情報を特定する。そして、特定した呼出音を図示しないスピーカに出力する。
【００４３】
患者情報出力部１０ｅは、呼出信号受信部１０ａにより受信された呼出信号に含まれるナースコール子機の識別情報に基づいて、呼出元であるナースコール子機に対応付けられた患者情報を図示しないモニタ画面に出力する。例えば、患者情報出力部１０ｅは、ナースコール子機の識別情報で示される部屋番号およびベッド番号を患者情報としてモニタ画面に出力する。
【００４４】
なお、ＩＰアダプタ７が呼出信号をＳＩＰサーバ８に出力する際に、ナースコール子機の識別情報、呼出種別に応じた所定の電話番号、呼出先のＩＰ携帯電話１０の電話番号情報に加えて、呼出種別の情報も含めた呼出信号を出力するようにすれば、患者情報（識別情報で示される部屋番号およびベッド番号）に加えて呼出種別の情報もＩＰ携帯電話１０のモニタ画面に出力することができる。
【００４５】
また、ナースコール親機６が患者テーブルを参照して特定した患者の氏名等を制御機５が取得し、これも呼出信号に含めてＩＰアダプタ７およびＳＩＰサーバ８を介してＩＰ携帯電話１０に送信するようにすれば、患者情報として患者の氏名等もＩＰ携帯電話１０のモニタ画面に出力することができる。あるいは、当該患者情報またはこれに呼出種別の情報を加えて成る画像情報をＩＰアダプタ７またはＳＩＰサーバ８にて生成し、この画像情報をＳＩＰサーバ８からＩＰ携帯電話１０に送信するようにしてもよい。
【００４６】
上記実施形態では、携帯用ナースコール親機の例としてＩＰ携帯電話１０を用いる例について説明したが、ＩＰ携帯電話１０の代わりにＰＨＳ端末を用いてもよい。この場合、例えばＳＩＰサーバ８の代わりにハンディナースコール主装置および構内交換機（ＰＢＸ）が用いられ、ハンディナースコール主装置および構内交換機が本発明の呼出信号送信部に相当する機能を備える。また、ＩＰアダプタ７の代わりにＰＢＸアダプタが用いられ、ＰＢＸアダプタが本発明の呼出信号変換部に相当する機能を備える。
【００４７】
また、上記実施形態では、ＩＰアダプタ７を１つの独立したハードウェアとして備える構成について説明したが、本発明はこれに限定されない。例えば、ＩＰアダプタ７が持つ呼出信号変換部の機能を制御機５あるいはＳＩＰサーバ８に内蔵させるようにしてもよい。
【００４８】
また、上記実施形態では、呼出種別として一般呼出／緊急呼出／ＭＥ呼出の３種類を挙げたが、本発明はこれに限定されない。例えば、ハンド形子機１や医療機器２が壁埋込形子機３から脱落したときに出力される脱落呼出や、オプションとして任意に設定可能なオプション呼出などを含めてもよい。
【００４９】
その他、上記実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００５０】
１  ハンド形子機
２  医療機器
３  壁埋込形子機
４  廊下灯
５  制御機
６  ナースコール親機
７  ＩＰアダプタ（呼出音制御装置）
７ａ  呼出信号入力部
７ｂ  番号テーブル記憶部
７ｃ  電話番号特定部
７ｄ  呼出信号出力部
８  ＳＩＰサーバ
９  無線送受信機
１０  ＩＰ携帯電話（携帯用ナースコール親機）
１０ａ  呼出信号受信部
１０ｂ  電話帳記憶部
１０ｃ  呼出音設定部
１０ｄ  呼出音出力部
１０ｅ  患者情報出力部
【図１】
2012199741.tif 000003
【図２】
2012199741.tif 000004
【図３】
2012199741.tif 000005